(57)【特許請求の範囲】
【請求項１】
電槽蓋に設けられた孔部に気密・液密に取付けられる筒状の液口栓本体を備え、該液口栓本体内には電槽内の液面の表示を行う棒状タイプのインジケータが昇降可能に貫通支持され、また前記液口栓本体内にはその内部の軸線方向孔を塞いだ状態で前記インジケータを昇降可能に貫通させた防爆フィルターが支持されていることを特徴とする蓄電池用インジケータ付き液口栓。
【請求項２】
前記液口栓本体に対する前記インジケータの昇降可能な支持構造は、前記液口栓本体の内周面に前記インジケータの上部の鍔部外周が摩擦接触されて支持されていることを特徴とする請求項１に記載の蓄電池用インジケータ付き液口栓。
【請求項３】
前記防爆フィルターは前記インジケータの前記鍔部の昇降範囲より下の位置で前記液口栓本体の内周に支持され、前記液口栓本体には前記インジケータの前記鍔部の昇降範囲の下端位置と前記防爆フィルターの支持位置との間に排気口が設けられていることを特徴とする請求項２に記載の蓄電池用インジケータ付き液口栓。
【発明の詳細な説明】
【０００１】
【発明の属する技術分野】
本発明は、電槽内の液面の確認を行うインジケータを組み込んだ蓄電池用インジケータ付き液口栓に関するものである。
【０００２】
【従来の技術】
従来、蓄電池の液面確認方法としては、自動車用の場合、電槽長側面に表示してあるアッパーレベル（ＵＰＰＥＲ  ＬＥＶＥＬ）及びロアーレベル（ＬＯＷＥＲ  ＬＥＶＥＬ）間の液面位置を目視にて確認する方法と、蓋埋込み式インジケータにより１セルのみの液面を確認する方法及びインジケータ付き液口栓による液面を確認する方法等があった。
【０００３】
また、据置きタイプの蓄電池においても目視によるものと、フロート式による液面の確認方法があった。
【０００４】
【発明が解決しようとする課題】
しかしながら、上記従来の液面表示方法では、蓋埋込み式インジケータもしくはインジケータ付き液口栓の場合、取付けてあるセルのみの液面しか確認できないことや、インジケータ付き液口栓は蓄電池が充電された場合に発生する水素ガスを排出する構造になっているものの、防爆機能を持たないため、外部火点により水素ガスに引火した場合、蓄電池が爆発する恐れがあった。
【０００５】
また、インジケータは電池の機種やロアーレベルの位置が異なるため、それぞれ数種類の長さを設定しなければならず、インジケータの品種が増えるという問題点があった。
【０００６】
本発明の目的は、液面位置の確認機能と防爆機能とを兼ね備えた蓄電池用インジケータ付き液口栓を提供することにある。
【０００７】
本発明の他の目的は、電池の機種やロアーレベルの位置が異なっていても対応できる蓄電池用インジケータ付き液口栓を提供することにある。
【０００８】
本発明の他の目的は、インジケータが昇降する構造でも防爆フィルターを経た水素ガスの外部への放出を支障なく行わせることができる蓄電池用インジケータ付き液口栓を提供することにある。
【０００９】
【課題を解決するための手段】
本発明に係る蓄電池用インジケータ付き液口栓は、電槽蓋に設けられた孔部に気密・液密に取付けられる筒状の液口栓本体を備えている。該液口栓本体内には、電槽内の液面の表示を行う棒状タイプのインジケータが昇降可能に貫通支持されている。また、液口栓本体内には、その内部の軸線方向孔を塞いだ状態でインジケータを昇降可能に貫通させた防爆フィルターが支持されている。
【００１０】
このようになインジケータ付き液口栓では、インジケータにより電槽内の液面の確認が行える。また、液口栓本体内の軸線方向孔を塞いだ防爆フィルターの存在により、液口栓本体から外部に排出される水素ガスに外部火点により引火しても、電槽内には波及せず、蓄電池の爆発を防止できる。従って、液面位置の確認機能と防爆機能とを兼ね備えた蓄電池用インジケータ付き液口栓を得ることができる。また、インジケータは棒状タイプであって、該インジケータが防爆フィルターの部分を昇降可能に貫通しているので、防爆フィルターが存在していても、インジケータは支障なく昇降することができる。この蓄電池用インジケータ付き液口栓では、筒状の液口栓本体内でインジケータを昇降させてその昇降位置を変更することにより、電池の機種やロアーレベルの位置が異なっていても対応させることができる。
【００１１】
本発明では、液口栓本体に対するインジケータの昇降可能な支持構造は、液口栓本体の内周面にインジケータの上部の鍔部外周を摩擦接触させて支持させる構造であることが好ましい。このような構造になっていると、インジケータを押すまたは引いて昇降させることにより、電池の機種やロアーレベルの位置が異なっていても対応させることができ、またその位置を保持させることができる。
【００１２】
また本発明では、防爆フィルターはインジケータの鍔部の昇降範囲より下の位置で液口栓本体の内周に支持され、液口栓本体にはインジケータの鍔部の昇降範囲の下端位置と防爆フィルターの支持位置との間に排気口が設けられていることが好ましい。このように構造になっていると、筒状の液口栓本体の上部がインジケータの上部の鍔部で塞がれても、インジケータの鍔部の昇降範囲の下端位置と防爆フィルターの支持位置との間の排気口により水素ガスを支障なく外部に排出させることができる。
【００１３】
【発明の実施の形態】
図１及び図２は本発明に係る蓄電池用インジケータ付き液口栓における実施の形態の一例を示したものであり、図１はインジケータを下降させた状態での縦断面図、図２はインジケータを上昇させた状態での縦断面図である。
【００１４】
本例の蓄電池用インジケータ付き液口栓は、図示しない電槽蓋に設けられた孔部に気密・液密に取付けられるポリプロピレン等よりなる筒状の液口栓本体１を備えている。この液口栓本体１の外周には鍔部１ａが一体に突設されている。鍔部１ａの下でこの液口栓本体１の外周には、ゴムパッキン２が嵌め付けられている。ゴムパッキン２より下で液口栓本体１の外周には、電槽蓋にネジ込みで固定するためのネジ部１ｂが設けられている。
【００１５】
この液口栓本体１内には、電槽内の液面の表示を行う棒状タイプのインジケータ３が昇降可能に貫通支持されている。インジケータ３は、棒状部３ａと、該棒状部３ａの上端に一体に形成されている鍔部３ｂと、該棒状部３ａの下端に一体に形成されていて図示しないが上下に孔があいている内部空間に比重の異なる１対の球が赤と青のように色を違えて収容された構造の液面表示手段を内蔵した液面表示部３ｃとが、透明なポリカーボネート等により構成されている。液面表示手段は、液面より上に存在するにときには２つの球が並んで存在し、液中に存在するときには比重の軽い球が上に、重い球が下に存在して、液面の表示を行う。
【００１６】
液口栓本体１に対するインジケータ３の昇降可能な支持は、液口栓本体１の内周面に、インジケータ３の上部の鍔部３ｂの外周に一体に設けられているポリプロピレン製の外周部３ｄが摩擦接触させることにより行われている。即ち、この外周部３ｄは、液口栓本体１の上部内面にすべり落ちないように摩擦接触させてインジケータ３を仮固定するためのものである。
【００１７】
また液口栓本体１内には、その内部の軸線方向孔４を塞いだ状態で棒状のインジケータ３を昇降可能に貫通させた防爆フィルター５が支持されている。防爆フィルター５は、多孔性のセラミック等によりドーナツ状に形成されている。この防爆フィルター５は、インジケータ３の鍔部３ｂの昇降範囲より下の位置で液口栓本体１の内周に支持されている。液口栓本体１には、インジケータ３の鍔部３ｂの昇降範囲の下端位置と防爆フィルター５の支持位置との間に排気口６が設けられている。
【００１８】
このようになインジケータ付き液口栓では、インジケータ３の鍔部３ｂの上方から目視することにより電槽内の液面の確認が行える。また、液口栓本体１内の軸線方向孔４を塞いだ防爆フィルター５の存在により、液口栓本体１から外部に排出される水素ガスに外部火点により引火しても、電槽内には波及せず、蓄電池の爆発を防止できる。従って、液面位置の確認機能と防爆機能とを兼ね備えた蓄電池用インジケータ付き液口栓を得ることができる。また、インジケータ３は棒状タイプであって、該インジケータが防爆フィルター５の部分を昇降可能に貫通しているので、防爆フィルター５が存在していても、インジケータ３は支障なく昇降することができる。この蓄電池用インジケータ付き液口栓では、筒状の液口栓本体１内でインジケータ３を昇降させてその昇降位置を変更することにより、電池の機種やロアーレベルの位置が異なっていても対応させることができる。
【００１９】
また、液口栓本体１に対するインジケータ３の昇降可能な支持構造が、液口栓本体１の内周面にインジケータ３の上部の鍔部３ｂの外周を摩擦接触させて支持させる構造となっているので、インジケータ３を押すまたは引いて昇降させることにより、電池の機種やロアーレベルの位置が異なっていても対応させることができ、またその位置を保持させることができる。
【００２０】
また、防爆フィルター５はインジケータ３の鍔部３ｂの昇降範囲より下の位置で液口栓本体１の内周に支持され、液口栓本体１にはインジケータ３の鍔部３ｂの昇降範囲の下端位置と防爆フィルター５の支持位置との間に排気口６が設けられているので、筒状の液口栓本体１の上部がインジケータ３の上部の鍔部３ｂで塞がれても、インジケータ３の鍔部３ｂの昇降範囲の下端位置と防爆フィルター５の支持位置との間の排気口６により水素ガスを支障なく外部に排出させることができる。
【００２１】
本例のインジケータ付き液口栓と従来のインジケータ付き液口栓を用いた３８Ｂ１９形鉛蓄電池について以下の検討を行った。
【００２２】
それぞれの本例のインジケータ付き液口栓を用いた鉛蓄電池と、従来のインジケータ付き液口栓を用いた鉛蓄電池を２Ａの定電流にして充電しながら、液口栓の排気口の上方１０ｍｍの位置に火点を置き、蓄電池の爆発の有無を確認した。爆発がなければさらに２Ａずつ充電電流を上げていき、蓄電池の爆発限界電流を確認した。
【００２３】
その結果、従来のインジケータ付き液口栓を用いた鉛蓄電池が４Ａで爆発したのに対し、本例のインジケータ付き液口栓を用いた鉛蓄電池は２２Ａで爆発し、本例のインジケータ付き液口栓を用いた鉛蓄電池の方が防爆性能が向上していることが確認された。
【００２４】
【発明の効果】
本発明では、インジケータと防爆フィルターとが組み込まれているので、液面位置の確認機能と防爆機能とを兼ね備えた蓄電池用インジケータ付き液口栓を得ることができる。また、インジケータは棒状タイプであって、防爆フィルターを昇降可能に貫通しているので、防爆フィルターが存在していても、インジケータを支障なく昇降させることができる。この蓄電池用インジケータ付き液口栓では、筒状の液口栓本体内でインジケータを昇降させてその昇降位置を変更することにより、電池の機種やロアーレベルの位置が異なっていても対応させることができる。
【図面の簡単な説明】
【図１】  本発明に係る蓄電池用インジケータ付き液口栓における実施の形態の一例を示で、インジケータを下降させた状態での縦断面図である。
【図２】  本発明に係る蓄電池用インジケータ付き液口栓における実施の形態の一例を示で、インジケータを上昇させた状態での縦断面図である。
【符号の説明】
１  液口栓本体
１ａ  鍔部
１ｂ  ネジ部
２  ゴムパッキン
３  インジケータ
３ａ  棒状部
３ｂ  鍔部
３ｃ  液面表示部
３ｄ  外周部
４  軸線方向孔
５  防爆フィルター
６  排気口
【図１】
0003690161.tif 000002
【図２】
0003690161.tif 000003